(57)【要約】【課題】  効率よい清掃を支援することができる太陽光発電監視システムを提供する。【解決手段】  太陽光発電監視システム１は、太陽光を受け電力を発電する複数の太陽光パネル８の汚れの程度を検出する検出部２と、検出部２により検出された汚れの程度に基づき、複数の太陽光パネル８のうち清掃の対象となる太陽光パネルおよび清掃時期を判断する判断部３と、を有する。【選択図】  図１
2020018046.tif 000002
【特許請求の範囲】
【請求項１】
太陽光を受け電力を発電する複数の太陽光パネルの汚れの程度を検出する検出部と、
前記検出部により検出された前記汚れの程度に基づき、前記複数の太陽光パネルのうち清掃の対象となる太陽光パネルおよび清掃時期を判断する判断部と、
を有する太陽光発電監視システム。
【請求項２】
前記判断部は、前記汚れの程度に基づき清掃時期を予測する、
請求項１に記載の太陽光発電監視システム。
【請求項３】
前記検出部は、前記複数の太陽光パネルの画像を撮影し、撮影された前記複数の太陽光パネルの撮影画像に基づき汚れの程度を検出する、
請求項１または２に記載の太陽光発電監視システム。
【請求項４】
前記撮影画像は、前記複数の太陽光パネルの近傍に設置されたカメラ、ドローンに搭載されたカメラのうち少なくとも一方により撮影される、
請求項３に記載の太陽光発電監視システム。
【請求項５】
前記判断部は、前記検出部により撮影された前記複数の太陽光パネルの撮影画像の明度に基づき清掃時期を判断する、
請求項３または４に記載の太陽光発電監視システム。
【請求項６】
前記判断部は、前記検出部により撮影された前記複数の太陽光パネルの撮影画像の汚れの面積に基づき清掃時期を判断する、
請求項３乃至５のいずれか一項に記載の太陽光発電監視システム。
【請求項７】
前記検出部は、前記複数の太陽光パネルの出力電流を測定し、測定された前記出力電流に基づき汚れの程度を検出する、
請求項１または２に記載の太陽光発電監視システム。
【請求項８】
前記判断部は、前記検出部により測定された前記出力電流に基づき、前記出力電流により得られる電力の販売料金と、前記複数の太陽光パネルに汚れがない場合に得られる電力の販売料金との料金差分を算出し、前記料金差分に基づき清掃時期を判断する、
請求項７に記載の太陽光発電監視システム。
【発明の詳細な説明】
【技術分野】
【０００１】
本実施形態は、太陽光発電システムの監視を行う太陽光発電監視システムに関する。
【背景技術】
【０００２】
昨今の電力自由化により、広大な敷地に設置されたメガソーラーと呼ばれる太陽光発電システムが普及している。このような太陽光発電システムの監視を行う太陽光発電監視システムが知られている。
【先行技術文献】
【特許文献】
【０００３】
【特許文献１】特開２０００−０４０８３８号公報
【発明の概要】
【発明が解決しようとする課題】
【０００４】
太陽光発電システムは、太陽光を受け発電を行う。多くの太陽光発電システムの太陽光パネルは、屋外に設置されるため土埃等による汚れが付着する。太陽光パネルに汚れが付着すると発電効率が下がり、電力が効率良く発電されにくくなる。このため太陽光パネルの清掃が、定期的に行われている。
【０００５】
太陽光発電システムの太陽光パネルは、定期的に設置場所等の順に清掃される。昨今のメガソーラーと呼ばれる太陽光発電システムの太陽光パネルは、広大な敷地に設置されている。このため、全ての太陽光パネルの清掃が完了するまでに数か月〜数年を要する。
【０００６】
しかしながら、清掃直後の太陽光パネルに、汚れが発生する場合もある。例えば、清掃直後に黄砂等による汚れが発生した場合、次回の太陽光パネルの清掃までに時間がある。このため、次回の清掃時までの時間、効率の良い発電が行われず太陽光パネルによる十分な発電が行われないとの問題点があった。
【０００７】
太陽光発電システムの太陽光パネルを汚れの少ない状態に保つために、太陽光パネルの清掃頻度を上げることも考えられる。しかしながら、頻繁に太陽光パネルの清掃を行うことは、煩雑であるとともに、清掃費用を要するため不経済であるとの問題点があった。
【０００８】
また、広大な敷地に設置された太陽光発電システムの場合、どの太陽光パネルが汚れたかの判断を行うことも必要とされる。清掃の対象となる太陽光パネルおよび効率の良い清掃時期を判断することが望ましいといえる。
【０００９】
本実施形態は、効率よい清掃を支援することができる太陽光発電監視システムを提供することを目的とする。
【課題を解決するための手段】
【００１０】
本実施形態の太陽光発電監視システムは、次のような構成を有することを特徴とする。
（１）太陽光を受け電力を発電する複数の太陽光パネルの汚れの程度を検出する検出部。
（２）前記検出部により検出された前記汚れの程度に基づき、前記複数の太陽光パネルのうち清掃の対象となる太陽光パネルおよび清掃時期を判断する判断部。
【図面の簡単な説明】
【００１１】
【図１】第１実施形態にかかる太陽光発電監視システムを示す図
【図２】第１実施形態にかかる太陽光発電監視システムのプログラムのフローを示す図
【図３】第１実施形態にかかる撮影画像の明度に基づく清掃時期の予測を説明する図
【図４】第１実施形態にかかる撮影画像の汚れの面積に基づく清掃時期の予測を説明する図
【図５】第２実施形態にかかる太陽光発電監視システムのプログラムのフローを示す図
【図６】第２実施形態にかかる出力電流に基づく清掃時期の予測を説明する図
【図７】第２実施形態にかかる電力の販売料金に基づく清掃時期の予測を説明する図
【発明を実施するための形態】
【００１２】
［第１実施形態］
［１−１．構成］
図１を参照して本実施形態の一例としての太陽光発電監視システム１について説明する。
【００１３】
（システムの全体構成）
本太陽光発電監視システム１は、検出部２、判断部３を有する。検出部２と判断部３は、伝送線４により接続される。太陽光発電監視システム１の検出部２は、メガソーラー等の太陽光発電システムを構成する太陽光パネル８の近傍に配置される。太陽光発電監視システム１の判断部３は、作業者が太陽光発電システムの監視を行う電力監視室等に配置される。太陽光発電監視システム１は、清掃の対象となる太陽光パネル８の位置を特定し、太陽光パネル８の清掃時期を判断する。
【００１４】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字（小文字）を付けることで区別する。
【００１５】
太陽光発電監視システム１において、以下のデータが作成、送受信または記憶される。
データＡ：太陽光パネル８の出力電流のデータ
データＢ：太陽光パネル８の撮影画像のデータ
データＭ：過去の太陽光パネル８ごとの出力電流のデータ
データＮ：太陽光パネル８ごとの日射量に対する出力電流のデータ
データＸ：清掃の対象となる太陽光パネル８の位置のデータ
データＴ：太陽光パネル８の清掃時期のデータ
【００１６】
（検出部２の構成）
検出部２は、電流測定部２１、撮影部２２、送信部２３により構成される。検出部２は、メガソーラー等の太陽光発電システムを構成する太陽光パネル８の近傍に配置される。
【００１７】
電流測定部２１は、直流または交流電流の測定を行う電流測定装置により構成される。複数の電流測定部２１ａ、２１ｂ〜２１ｎが、複数の太陽光パネル８ａ、８ｂ〜８ｎに対して配置される。なおｎは任意の数量である。電流測定部２１は、太陽光パネル８と電力系統（図中不示）を結ぶ電力供給線９に設置される。電流測定部２１は、太陽光パネル８から電力供給線９を介し電力系統へ出力される電流を測定する。電流測定部２１は、測定した太陽光パネル８からの出力電流のデータをデータＡ（太陽光パネル８の出力電流のデータ）として、送信部２３に出力する。
【００１８】
撮影部２２は、カラー映像を撮影するカメラにより構成される。撮影部２２は、メガソーラー等の太陽光発電システムを構成する太陽光パネル８の近傍に設けられた支柱等に、複数配置される。複数の撮影部２２ａ、２２ｂ〜２２ｎが、複数の太陽光パネル８ａ、８ｂ〜８ｎに対して配置される。
【００１９】
また、撮影部２２は、ドローンに搭載されたカメラであってもよい。撮影部２２が、単数または複数のドローンに配置される。撮影部２２を有するドローンは、複数の太陽光パネル８ａ、８ｂ〜８ｎの上空を飛行する。撮影部２２は、メガソーラー等の太陽光発電システムを構成する太陽光パネル８の画像を撮影し、撮影された複数の太陽光パネル８の撮影画像のデータをデータＢ（太陽光パネル８の撮影画像のデータ）として、送信部２３に出力する。
【００２０】
送信部２３は、インターネット回線やローカル通信に対応した伝送回路により構成される。送信部２３は、入力側が電流測定部２１および撮影部２２に、出力側が伝送線４を介し判断部３の受信部３１に接続される。送信部２３は、電流測定部２１からデータＡ（太陽光パネル８の出力電流のデータ）、撮影部２２からデータＢ（太陽光パネル８の撮影画像のデータ）を受信し、判断部３の受信部３１に送信する。
【００２１】
（判断部３の構成）
判断部３は、マイクロコンピュータ及びその周辺装置により構成される。判断部３は、作業者が太陽光発電システムの監視を行う電力監視室等に配置される。判断部３は、清掃の対象となる太陽光パネル８の位置を特定し、太陽光パネル８の清掃時期を判断する。
【００２２】
受信部３１は、インターネット回線やローカル通信に対応した伝送回路により構成される。受信部３１は、入力側が伝送線４を介し検出部２の送信部２３に、出力側が演算部３４に接続される。受信部３１は、検出部２の送信部２３から送信されたデータＡ（太陽光パネル８の出力電流のデータ）、データＢ（太陽光パネル８の撮影画像のデータ）を受信し、演算部３４に出力する。
【００２３】
記憶部３２は、半導体メモリやハードディスクのような記憶媒体にて構成される。記憶部３２は、データＭ（過去の太陽光パネル８ごとの出力電流のデータ）、データＮ（太陽光パネル８ごとの日射量に対する出力電流のデータ）を記憶する。データＭ、データＮは、作業者により予め記憶部３２に設定される。記憶部３２は、演算部３４によりデータの書込み読出しが制御される。
【００２４】
出力部３３は、液晶パネル等により構成された表示装置、プリンタ等の印刷装置またはインターネット等の通信回線との送受信回路等により構成される。出力部３３は、演算部３４に接続される。出力部３３は、演算部３４に制御され、表示、印刷または電文によりデータＸ（清掃の対象となる太陽光パネル８の位置のデータ）およびデータＴ（太陽光パネル８の清掃時期のデータ）を出力する。
【００２５】
演算部３４は、マイクロコンピュータにより構成される。演算部３４は、後述するコンピュータプログラムを内蔵する。演算部３４は、受信部３１、記憶部３２、出力部３３に接続される。演算部３４は、以下の演算および制御を行う。
【００２６】
（Ａ）受信部３１に対する制御
演算部３４は、受信部３１を制御し、検出部２の送信部２３からデータＡ（太陽光パネル８の出力電流のデータ）、データＢ（太陽光パネル８の撮影画像のデータ）を受信する。
【００２７】
（Ｂ）記憶部３２に対する制御
演算部３４は、記憶部３２を制御し、データＭ（過去の太陽光パネル８ごとの出力電流のデータ）、データＮ（太陽光パネル８ごとの日射量に対する出力電流のデータ）の書込み読出しを行う。
【００２８】
（Ｃ）出力部３３に対する制御
演算部３４は、出力部３３を制御し、表示、印刷または電文によりデータＸ（清掃の対象となる太陽光パネル８の位置のデータ）データＴ（太陽光パネル８の清掃時期のデータ）を出力する。
【００２９】
（Ｄ）演算部３４による演算
演算部３４は、データＡ（太陽光パネル８の出力電流のデータ）またはデータＢ（太陽光パネル８の撮影画像のデータ）に基づき、清掃の対象となる太陽光パネル８の位置を判断しデータＸ（清掃の対象となる太陽光パネル８の位置のデータ）を作成する。
【００３０】
また、演算部３４は、データＡ（太陽光パネル８の出力電流のデータ）またはデータＢ（太陽光パネル８の撮影画像のデータ）、およびデータＭ（過去の太陽光パネル８ごとの出力電流のデータ）またはデータＮ（太陽光パネル８ごとの日射量に対する出力電流のデータ）に基づき、清掃の対象となる太陽光パネル８の清掃時期を判断し、データＴ（太陽光パネル８の清掃時期のデータ）を作成する。
【００３１】
（その他の構成）
太陽光パネル８は、メガソーラー等の太陽光発電システムを構成する。太陽光パネル８は、広大な敷地に複数設置される。太陽光パネル８は、太陽光を受け電力を発電する。
【００３２】
電力供給線９は、太陽光パネル８から出力された電流が、電力系統に供給されるための電路である。電力供給線９には、検出部２の電流測定部２１が配置される。
【００３３】
以上が、太陽光発電監視システム１の構成である。
【００３４】
［１−２．作用］
次に、本実施形態の太陽光発電監視システム１の作用を、図１〜図４に基づき説明する。
【００３５】
撮影画像に基づき汚れを検出する場合の太陽光発電監視システム１の作用を、説明する。太陽光発電監視システム１の検出部２は、複数の太陽光パネル８の画像を撮影し、撮影された複数の太陽光パネル８の撮影画像に基づき汚れの程度を検出する。太陽光発電監視システム１の判断部３は、検出部２により撮影された複数の太陽光パネル８の撮影画像の明度に基づき清掃時期を判断する。
【００３６】
太陽光発電監視システム１は、以下の処理を実行する。太陽光発電監視システム１の判断部３は、図２に示すプログラムに従って動作を行う。図２に示すプログラムは、太陽光発電監視システム１の判断部３の演算部３４に内蔵される。図２に示すプログラムは、演算部３４により、一定周期ごとに繰り返し継続的に実行される。
【００３７】
（ステップＳ０１：検出部２からデータＢを受信する）
最初に判断部３の演算部３４は、検出部２から受信部３１を介し、データＢ（太陽光パネル８の撮影画像のデータ）を受信する。データＢは、検出部２の送信部２３から常時送信される。データＢは、検出部２の撮影部２２により撮影された撮影画像のデータである。
【００３８】
撮影部２２は、メガソーラー等の太陽光発電システムを構成する太陽光パネル８の近傍に設けられた支柱等に、複数配置される。複数の撮影部２２ａ、２２ｂ〜２２ｎが、複数の太陽光パネル８ａ、８ｂ〜８ｎに対して配置されている。複数の撮影部２２ａ、２２ｂ〜２２ｎにより撮影された複数の太陽光パネル８ａ、８ｂ〜８ｎの撮影画像のデータが、データＢａ、Ｂｂ〜Ｂｎとして検出部２の送信部２３から送信される。
【００３９】
また、撮影部２２は、ドローンに搭載されたカメラであってもよい。検出部２から送信されるデータＢ（太陽光パネル８の撮影画像のデータ）は、撮影部２２であるドローンに搭載されたカメラにより撮影された複数の太陽光パネル８ａ、８ｂ〜８ｎの撮影画像のデータであってもよい。撮影部２２により撮影された複数の太陽光パネル８ａ、８ｂ〜８ｎの撮影画像のデータが、データＢａ、Ｂｂ〜Ｂｎとして検出部２の送信部２３から送信される。
【００４０】
（ステップＳ０２：太陽光パネル８ごとの汚れの程度を検出する）
次に判断部３の演算部３４は、ステップＳ０１にて受信したデータＢ（太陽光パネル８の撮影画像のデータ）に基づき、複数の太陽光パネル８ごとの汚れの程度を検出する。
【００４１】
複数の太陽光パネル８ごとの汚れの程度の検出は、データＢの明度に基づき判断される。複数の太陽光パネル８の太陽光の受光面は、黒色または濃紺色等の濃色に着色されている。一方、太陽光パネル８に付着する土埃や黄砂等の汚れや雪は、淡色である。演算部３４は、データＢに基づき、複数の太陽光パネル８ごとに画像の明度の平均値を算出し汚れの程度とする。
【００４２】
（ステップＳ０３：太陽光パネル８の汚れは、要清掃であるかの判断を行う）
次に判断部３の演算部３４は、太陽光パネル８ごとに要清掃であるかの判断を行う。演算部３４は、ステップＳ０２にて算出した複数の太陽光パネル８ごとの画像の明度の平均値が、予め設定された閾値以上であるかの判断を行う。画像の明度の平均値が、予め設定された閾値以上である場合、太陽光パネル８の汚れは、要清掃であると判断される。
【００４３】
演算部３４が、太陽光パネル８の汚れは要清掃であると判断した場合（ステップＳ０３のＹＥＳ）、ステップＳ０４に移行する。演算部３４が、太陽光パネル８の汚れは要清掃であると判断しない場合（ステップＳ０３のＮＯ）、ステップＳ０５に移行する。
【００４４】
（ステップＳ０４：要清掃である旨および清掃の対象となる太陽光パネル８を出力する）
ステップＳ０３にて太陽光パネル８の汚れは要清掃であると判断された場合、判断部３の演算部３４は、要清掃である旨および清掃の対象となる太陽光パネル８の位置のデータであるデータＸを、出力するように出力部３３の制御を行う。出力部３３は、表示、印刷または電文により、要清掃である旨およびデータＸ（清掃の対象となる太陽光パネル８の位置のデータ）を出力する。
【００４５】
データＸにかかる清掃の対象となる太陽光パネル８の位置のデータは、固定カメラである撮影部２２ａ、２２ｂ〜２２ｎが配置された支柱等の位置に基づき作成される。撮影部２２ａ、２２ｂ〜２２ｎは、太陽光パネル８ａ、８ｂ〜８ｎの近傍の支柱等に設けられる。
【００４６】
また、撮影部２２が、ドローンに搭載されたカメラである場合、データＸにかかる清掃の対象となる太陽光パネル８ａ、８ｂ〜８ｎの位置のデータは、ドローンが有する緯度経度等の位置情報に基づき作成される。
【００４７】
（ステップＳ０５：太陽光パネル８の汚れの程度の進行の予測を行う）
ステップＳ０３にて太陽光パネル８の汚れは要清掃であると判断されない場合、判断部３の演算部３４は、太陽光パネル８ごとに清掃時期の予測を行う。
【００４８】
ステップＳ０１にて受信したデータＢ（太陽光パネル８の撮影画像のデータ）に基づきステップＳ０２にて太陽光パネル８ごとの汚れの程度が、逐次算出される。演算部３４は、逐次算出され蓄積された汚れの程度に関するデータに基づき、太陽光パネル８ごとに汚れの程度の進行の予測を行う。汚れの程度の進行の予測は、機械学習等の技法により、図３に示すように、ステップＳ０２にて算出した複数の太陽光パネル８ごとの画像の明度の平均値の推移に基づき行われる。
【００４９】
（ステップＳ０６：清掃時期および清掃の対象となる太陽光パネル８を出力する）
次に、判断部３の演算部３４は、要清掃となると予測される太陽光パネル８の清掃時期のデータであるデータＴおよび清掃の対象となる太陽光パネル８の位置のデータであるデータＸを、出力するように出力部３３の制御を行う。出力部３３は、表示、印刷または電文により、データＴ（太陽光パネル８の清掃時期のデータ）およびデータＸ（清掃の対象となる太陽光パネル８の位置のデータ）を出力する。
【００５０】
データＴにかかる清掃時期は、図３に示すようにステップＳ０５にて算出された、複数の太陽光パネル８ごとの画像の明度の平均値の推移に基づき予測される。演算部３４は、太陽光パネル８の画像の明度の平均値が予め設定された閾値以上となる時期を、清掃時期として予測する。画像の明度の平均値が、予め設定された閾値以上になると予測される時期が、清掃時期であると判断される。
【００５１】
データＸにかかる清掃の対象となる太陽光パネル８の位置のデータは、固定カメラである撮影部２２ａ、２２ｂ〜２２ｎが配置された支柱等の位置に基づき作成される。撮影部２２ａ、２２ｂ〜２２ｎは、太陽光パネル８ａ、８ｂ〜８ｎの近傍の支柱等に設けられる。
【００５２】
また、撮影部２２が、ドローンに搭載されたカメラである場合、データＸにかかる清掃の対象となる太陽光パネル８ａ、８ｂ〜８ｎの位置のデータは、ドローンが有する緯度経度等の位置情報に基づき作成される。
【００５３】
以上が、第１実施形態にかかる太陽光発電監視システム１の動作である。上記の動作により太陽光パネル８ごとに清掃時期が判断される。
【００５４】
［１−３．変形例］
上記実施形態では、汚れの程度は、ステップＳ０２にて複数の太陽光パネル８ごとの画像の明度の平均値に基づき算出されるものとした。しかしながら、汚れの程度の算出方法は、これに限られない。汚れの程度は、図４に示すように太陽光パネル８の面積に対する、予め設定された閾値以上である明度を有する面積の比率に基づき算出されるものであってもよい。
【００５５】
また、上記実施形態で、清掃時期は、ステップＳ０５にて複数の太陽光パネル８ごとの画像の明度の平均値の推移に基づき予測されるものとした。しかしながら清掃時期は、太陽光パネル８の面積に対する、予め設定された閾値以上である明度を有する面積の比率の推移に基づき予測されるものであってもよい。
【００５６】
図４に示すように演算部３４は、太陽光パネル８の面積に対する、予め設定された閾値以上である明度を有する面積の比率が、予め設定された閾値以上となる時期を、清掃時期として予測する。閾値以上である明度を有する面積の比率が、予め設定された閾値以上になると予測される時期が、清掃時期であると判断される。
【００５７】
［１−４．効果］
（１）本実施形態によれば、太陽光発電監視システム１は、太陽光を受け電力を発電する複数の太陽光パネル８の汚れの程度を検出する検出部２と、検出部２により検出された汚れの程度に基づき、複数の太陽光パネル８のうち清掃の対象となる太陽光パネルおよび清掃時期を判断する判断部３とを有するので、効率よい清掃を支援することができる太陽光発電監視システム１を提供することができる。
【００５８】
太陽光発電監視システム１の検出部２が、太陽光パネル８の汚れの程度を検出するので、汚れの程度が軽微である太陽光パネル８の清掃を行うことを避けることができ、作業者における清掃費用の軽減を支援することができる。
【００５９】
また、太陽光発電監視システム１の判断部３が、複数の太陽光パネル８のうち清掃の対象となる太陽光パネルを判断するので、清掃を必要とする太陽光パネル８を、作業者に報知することができる。
【００６０】
さらに、太陽光発電監視システム１の判断部３が、太陽光パネル８の清掃時期を判断するので、作業者による、汚れた太陽光パネル８の計画的な清掃を支援することができる。
【００６１】
（２）本実施形態によれば、太陽光発電監視システム１の判断部３は、汚れの程度に基づき清掃時期を予測するので、作業者に対し、太陽光パネル８の清掃時期を報知することができ、作業者による計画的に汚れた太陽光パネル８の清掃の支援することができる。
【００６２】
（３）本実施形態によれば、検出部２は、複数の太陽光パネル８の画像を撮影し、撮影された複数の太陽光パネル８の撮影画像に基づき汚れの程度を検出するので、より確実に太陽光パネル８の汚れの程度を検出することができる。
【００６３】
（４）本実施形態によれば、撮影画像は、複数の太陽光パネル８の近傍に設置されたカメラ、ドローンに搭載されたカメラのうち少なくとも一方により撮影されるので、より確実に清掃を必要とする太陽光パネル８の位置を、作業者に報知することができる。
【００６４】
（５）本実施形態によれば、判断部３は、検出部２により撮影された複数の太陽光パネル８の撮影画像の明度に基づき清掃時期を判断するので、より確実に太陽光パネル８の汚れの程度を検出することができる。
【００６５】
（６）本実施形態によれば、判断部３は、検出部２により撮影された複数の太陽光パネル８の撮影画像の汚れの面積に基づき清掃時期を判断するので、より確実に発電量の低下を招く可能性が高い太陽光パネル８を検出することができる。
【００６６】
［２．第２実施形態］
［２−１．構成および作用］
出力電流に基づき汚れを検出する場合の太陽光発電監視システム１の作用を、説明する。第２実施形態の太陽光発電監視システム１のシステム構成は、図１に示す第１実施形態の構成と同じである。第１実施形態の構成と同様に本太陽光発電監視システム１は、検出部２、判断部３を有する。太陽光発電監視システム１は、清掃の対象となる太陽光パネル８の位置を特定し、太陽光パネル８の清掃時期を判断する。
【００６７】
太陽光発電監視システム１の検出部２は、複数の太陽光パネル８の出力電流を測定し、測定された出力電流に基づき汚れの程度を検出する。太陽光発電監視システム１の判断部３は、検出部２により測定された複数の太陽光パネル８の出力電流に基づき清掃時期を判断する。
【００６８】
太陽光発電監視システム１は、以下の処理を実行する。太陽光発電監視システム１の判断部３は、図５に示すプログラムに従って動作を行う。図５に示すプログラムは、太陽光発電監視システム１の判断部３の演算部３４に内蔵される。図５に示すプログラムは、演算部３４により、一定周期ごとに繰り返し継続的に実行される。
【００６９】
（ステップＳ１１：検出部２からデータＡ（太陽光パネル８の出力電流のデータ）を受信する）
最初に判断部３の演算部３４は、検出部２から受信部３１を介し、データＡ（太陽光パネル８の出力電流のデータ）を受信する。データＡは、検出部２の送信部２３から常時送信される。データＡは、検出部２の電流測定部２１により測定された出力電流のデータである。
【００７０】
電流測定部２１は、メガソーラー等の太陽光発電システムを構成する太陽光パネル８と電力系統（図中不示）を結ぶ電力供給線９に設置される。複数の電流測定部２１ａ、２１ｂ〜２１ｎが、複数の太陽光パネル８ａ、８ｂ〜８ｎに対して配置されている。複数の電流測定部２１ａ、２１ｂ〜２１ｎにより測定された複数の太陽光パネル８ａ、８ｂ〜８ｎの出力電流のデータが、データＡａ、Ａｂ〜Ａｎとして検出部２の送信部２３から送信される。
【００７１】
（ステップＳ１２：太陽光パネル８ごとの汚れの程度を検出する）
次に判断部３の演算部３４は、ステップＳ１１にて受信したデータＡ（太陽光パネル８の出力電流のデータ）に基づき、複数の太陽光パネル８ごとの汚れの程度を検出する。
【００７２】
複数の太陽光パネル８の汚れの程度の検出は、データＡにかかる出力電流の大きさに基づき判断される。記憶部３２は、予め設定されたデータＭ（過去の太陽光パネル８ごとの出力電流のデータ）、データＮ（太陽光パネル８ごとの日射量に対する出力電流のデータ）を記憶している。演算部３４は、データＭおよびデータＮに基づき、複数の太陽光パネル８ごとに、出力電流の低下度合いを算出し汚れの程度とする。
【００７３】
例えば過年度の同時期における日射量が近似である日のデータＭ（過去の太陽光パネル８ごとの出力電流のデータ）に基づき、太陽光パネル８ごとの出力電流の低下度合いが算出され、汚れの程度とされる。また、日射量を測定し、汚れがない場合の太陽光パネル８の出力電流を、データＮに基づき予測し、予測された出力電流に対する出力電流の低下度合いが算出され、太陽光パネル８の汚れの程度とされる。
【００７４】
（ステップＳ１３：太陽光パネル８の汚れは、要清掃であるかの判断を行う）
次に判断部３の演算部３４は、太陽光パネル８ごとに要清掃であるかの判断を行う。演算部３４は、ステップＳ１２にて算出した複数の太陽光パネル８ごとの出力電流の低下度合いが、予め設定された閾値以上であるかの判断を行う。出力電流の低下度合いが、予め設定された閾値以上である場合、太陽光パネル８の汚れは、要清掃であると判断される。
【００７５】
演算部３４が、太陽光パネル８の汚れは要清掃であると判断した場合（ステップＳ１３のＹＥＳ）、ステップＳ１４に移行する。演算部３４が、太陽光パネル８の汚れは要清掃であると判断しない場合（ステップＳ１３のＮＯ）、ステップＳ１５に移行する。
【００７６】
（ステップＳ１４：要清掃である旨および清掃の対象となる太陽光パネル８を出力する）
ステップＳ１３にて太陽光パネル８の汚れは要清掃であると判断された場合、判断部３の演算部３４は、要清掃である旨および清掃の対象となる太陽光パネル８の位置のデータであるデータＸを、出力するように出力部３３の制御を行う。出力部３３は、表示、印刷または電文により、要清掃である旨およびデータＸ（清掃の対象となる太陽光パネル８の位置のデータ）を出力する。
【００７７】
データＸにかかる清掃の対象となる太陽光パネル８の位置のデータは、電流測定部２１、２１ａ、２１ｂ〜２１ｎが配置された箇所に基づき作成される。電流測定部２１、２１ａ、２１ｂ〜２１ｎは、それぞれ太陽光パネル８ａ、８ｂ〜８ｎに接続して配置される。
【００７８】
（ステップＳ１５：太陽光パネル８の汚れの程度の進行の予測を行う）
ステップＳ１３にて太陽光パネル８の汚れは要清掃であると判断されない場合、判断部３の演算部３４は、太陽光パネル８ごとに清掃時期の予測を行う。
【００７９】
ステップＳ１１にて受信したデータＡ（太陽光パネル８の出力電流のデータ）に基づきステップＳ１２にて太陽光パネル８ごとの汚れの程度が、逐次算出される。演算部３４は、逐次算出され蓄積された汚れの程度に関するデータに基づき、太陽光パネル８ごとに汚れの程度の進行の予測を行う。汚れの程度の進行の予測は、機械学習等の技法により、図６に示すように、ステップＳ１２にて算出した複数の太陽光パネル８ごとの出力電流の低下度合いの推移に基づき行われる。
【００８０】
（ステップＳ１６：清掃時期および清掃の対象となる太陽光パネル８を出力する）
次に、判断部３の演算部３４は、要清掃となると予測される太陽光パネル８の清掃時期のデータであるデータＴおよび清掃の対象となる太陽光パネル８の位置のデータであるデータＸを、出力するように出力部３３の制御を行う。出力部３３は、表示、印刷または電文により、データＴ（太陽光パネル８の清掃時期のデータ）およびデータＸ（清掃の対象となる太陽光パネル８の位置のデータ）を出力する。
【００８１】
データＴにかかる清掃時期は、図６に示すようにステップＳ１５にて算出された、複数の太陽光パネル８ごとの出力電流の低下度合いの推移に基づき予測される。演算部３４は、太陽光パネル８の出力電流の低下度合いが予め設定された閾値以上となる時期を、清掃時期として予測する。出力電流の低下度合いが、予め設定された閾値以上になると予測される時期が、清掃時期であると判断される。
【００８２】
データＸにかかる清掃の対象となる太陽光パネル８の位置のデータは、電流測定部２１、２１ａ、２１ｂ〜２１ｎが配置された箇所に基づき作成される。電流測定部２１、２１ａ、２１ｂ〜２１ｎは、それぞれ太陽光パネル８ａ、８ｂ〜８ｎに接続して配置される。
【００８３】
以上が、第２実施形態にかかる太陽光発電監視システム１の動作である。上記の動作により太陽光パネル８ごとに清掃時期が判断される。
【００８４】
［２−２．変形例］
上記実施形態において、清掃時期は、ステップＳ１５にて複数の太陽光パネル８ごとの出力電流の低下度合いの推移に基づき予測されるものとした。しかしながら清掃時期は、太陽光パネル８の出力電流に基づき、出力電流により得られる電力の販売料金と、複数の太陽光パネル８に汚れがない場合に得られる電力の販売料金との料金差分を算出し、この料金差分に基づき清掃時期を判断するようにしてもよい。
【００８５】
例えば、図７に示すように、出力電流により得られる電力の販売料金と、複数の太陽光パネル８に汚れがない場合に得られる電力の販売料金との料金差分の累積が、太陽光パネル８の清掃料金以上になると予測される時期を、清掃時期とする判断を行うようにしてもよい。
【００８６】
［２−３．効果］
（１）本実施形態によれば、太陽光発電監視システム１は、太陽光を受け電力を発電する複数の太陽光パネル８の汚れの程度を検出する検出部２と、検出部２により検出された汚れの程度に基づき、複数の太陽光パネル８のうち清掃の対象となる太陽光パネル８および清掃時期を判断する判断部３とを有し、検出部２は、複数の太陽光パネル８の出力電流を測定し、測定された出力電流に基づき汚れの程度を検出するので、効率よい清掃を支援することができる太陽光発電監視システム１を提供することができる。
【００８７】
検出部２は、複数の太陽光パネル８の出力電流を測定し、測定された出力電流に基づき汚れの程度を検出するので、より確実に発電量の低下を招く可能性が高い太陽光パネル８を検出することができる。
【００８８】
（２）本実施形態によれば、判断部３は、検出部２により測定された出力電流に基づき、出力電流により得られる電力の販売料金と、複数の太陽光パネル８に汚れがない場合に得られる電力の販売料金との料金差分を算出し、料金差分に基づき清掃時期を判断するので、より確実に電力の販売料金の低下を招く可能性が高い太陽光パネル８を検出することができる。
【００８９】
［他の実施形態］
本発明の変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００９０】
（１）上記実施形態では、太陽光パネル８ごとに清掃の対象および清掃時期が判断されるものとしたが、清掃の対象および清掃時期が判断される太陽光発電装置の単位は、太陽光パネル８ごとでなくてもよい。清掃の対象および清掃時期が判断される太陽光発電装置は例えば、ストリングごと、またはエリアごとの太陽光パネル８であってもよい。
【００９１】
（２）上記実施形態では、検出部２の送信部２３および判断部３の受信部３１は、インターネット回線やローカル通信に対応した伝送回路により構成されるものとした。しかしながら送信部２３および受信部３１は、インターネット回線やローカル通信に対応した伝送回路に限られない。送信部２３および受信部３１は、例えば携帯電話回線、電話回線、無線電波等、他の通信媒体に対応したものであってもよい。
【００９２】
（３）上記実施形態では、検出部２および判断部３は、伝送線４により接続されるものとした。しかしながら検出部２および判断部３は、一体に構成されるものであってもよい。例えば、判断部３は、検出部２に含まれるように構成され、太陽光パネル８の近傍に配置されるものであってもよい。
【符号の説明】
【００９３】
１・・・太陽光発電監視システム
２・・・検出部
３・・・判断部
４・・・伝送線
８、８ａ、８ｂ〜８ｎ・・・太陽光パネル
９・・・電力供給線
２１、２１ａ、２１ｂ〜２１ｎ・・・電流測定部
２２、２２ａ、２２ｂ〜２２ｎ・・・撮影部
２３・・・送信部
３１・・・受信部
３２・・・記憶部
３３・・・出力部
３４・・・演算部
【図１】
2020018046.tif 000003
【図２】
2020018046.tif 000004
【図３】
2020018046.tif 000005
【図４】
2020018046.tif 000006
【図５】
2020018046.tif 000007
【図６】
2020018046.tif 000008
【図７】
2020018046.tif 000009